Podtech/llm-jp-corpus-v4-ja_patent huggingface dataset:
(57)【要約】      （修正有）【課題】綴じ込みホルダーを装着し、保持する機構を備え、綴じ込む奥行きの位置設定が容易にできるステープラーを提供する。【解決手段】ステープラーの基板Ｃの先端部分に挟持部Ｂを設ける。そして挟持部Ｂの先端を鉤状３、３’にした挟持片２、２’を設け、さらに挟持部Ｂが基板Ｃの主軸１方向にスライドできる構造にする。【選択図】図３
0003119998.tif 000002
【実用新案登録請求の範囲】
【請求項１】
ステープラーの基板の先端部分に綴じ込みホルダーを装着し保持する機能をもつ挟持部を設けたことを特徴とするステープラー。
【請求項２】
ステープラーの挟持部が基板に沿って主軸方向にスライドできる構造にした、請求項１記載のステープラー。
【考案の詳細な説明】
【技術分野】
【０００１】本考案は、ステープラーで束ねた用紙を綴じる場合、綴じられた部分を補強するために［図２］に示すように軟質な可撓性のフイルムをＶ字形に折り曲げた形状の綴じ込みホルダーＡに用紙Ｄを差し入れ［図４］に示すようにステープラーで綴じ込むとよい。この綴じ込み作業を容易にまた簡略化するための機能を備えた、新規のステープラーに関する。
【背景技術】
【０００２】従来から、用紙を綴じる場合は用紙に直接ステープラーで綴じていた。
【考案の開示】
【考案が解決しようとする課題】
【０００３】綴じ込みホルダーＡを使用して束ねた用紙を綴じる場合は、予め束ねた用紙に綴じ込みホルダーＡを挟み込み、そして綴じ込みホルダーＡの一端を手の指で摘み、挟み込んだ用紙と共に挟持して、さらに綴じ込む奥行きの位置はステープラー本体の移動によって決め、ステープラーで綴じていた。この一連の綴じ込み作業を容易にまた簡略化して、さらに正確に用紙を綴じることを課題とする。
【課題を解決するための手段】
【０００４】この課題を解決するため、ステープラー［図１］の基板Ｃの先端に挟持部Ｂを設ける、そして挟持部Ｂに先端を鉤状３にした挟持片２を設け、さらに［図６］に示すように挟持部Ｂの両端内側に溝６、６’を設け、［図３］に示すように挟持部Ｂが基板Ｃに沿って主軸１方向にスライドできる構造にすることで解決する。
【考案の効果】
【０００５】本考案により、このステープラーを使用して用紙を綴じる場合、予め綴じ込みホルダーＡを［図５］に示すように挟持部Ｂの挟持片２、２’に沿って差し入れ鉤３、３’で綴じ込みホルダーＡの先端を引っ掛け、綴じ込みホルダーＡを装着し保持する、そして束ねた用紙を綴じ込みホルダーＡの開口５へ挿入する、さらに［図３］に示すように挟持部Ｂを基板Ｃの主軸１方向へのスライド調整で用紙の綴じ込む奥行きの位置を決めステープラーで綴じると［図４］に示すように用紙Ｄのずれがなく、また綴じ込む奥行きの位置の設定も容易にでき、しかも連続して用紙を綴じても絶えず一定の位置に針４が綴じこまれステープラーによる一連の綴じ込み作業が容易に簡単にできる。また、綴じ込みホルダーを使用しない通常の綴じ込みでも挟持部Ｂをスライド調整することで挟持部Ｂに用紙を差し入れてもストッパー機能があり、用紙の綴じ込む奥行きの位置が一定するため連続した綴じ込み作業が容易にできる。
【考案を実施するための最良の形態】
【０００６】本考案に係るステープラーは、ステープラー［図１］の基板Ｃの先端部分に綴じ込みホルダーＡを装着し保持する挟持部Ｂを設ける。そして挟持部Ｂには［図６］に示すように先端を鉤状３、３’にした挟持片２、２’を設け、さらに挟持部Ｂの両端内側に溝６、６’を設けることで［図３］に示すように挟持部Ｂが基板Ｃに沿って主軸１方向にスライドできる構造にする。
【図面の簡単な説明】
【０００７】
【図１】ステープラーの側面図である。
【図２】綴じ込みホルダーの斜視図である。
【図３】挟持部が主軸方向へ基板に沿ってスライドした状態のステープラーの側面図である。
【図４】綴じ込みホルダーを使用して束ねた用紙を綴じ込んだ状態の省略図で、斜視図である。
【図５】ステープラーの基板部分の省略図で、挟持部に綴じ込みホルダーを装着し保持した状態の斜視図である。
【図６】挟持部の両端内側に溝を設けた図で、斜視図である。
【符号の説明】
【０００８】Ａ                  綴じ込みホルダー
Ｂ                  挟持部
Ｃ                  基板
Ｄ                  用紙
１                  主軸
２    ２’          挟持片
３    ３’          鉤
４                  綴じ込まれた針
５                  開口
６    ６’          溝
【図１】
0003119998.tif 000003
【図２】
0003119998.tif 000004
【図３】
0003119998.tif 000005
【図４】
0003119998.tif 000006
【図５】
0003119998.tif 000007
【図６】
0003119998.tif 000008
(57)【要約】      （修正有）【課題】吸気配管から室内へ導入される微生物および化学物質による汚染の問題解決等のための吸気配管の空気殺菌装置を提供する。【解決手段】ダクトＤの間に取り付けられた、吸気配管用空気殺菌装置１０は、空気を導入する殺菌ボックス１と、紫外線灯２により、この問題を解決する。【選択図】図１
0003119993.tif 000002
【実用新案登録請求の範囲】
【請求項１】
建物の吸気配管途中に設けられ、空気を導入する殺菌ボックスと紫外線殺菌ランプを備えた、吸気配管用空気殺菌装置。
【考案の詳細な説明】
【技術分野】
【０００１】本考案は吸気配管の空気殺菌に関する。
【背景技術】
【０００２】従来の吸気配管では、カビ、ウイルス、細菌やホルムアルデヒドなどの化学物質が混入していた。
【考案の開示】
【考案が解決しようとする課題】
【０００３】しかし、これでは、インフルエンザなどの病気となる微生物やシックハウス症候群などで問題となる化学物質が室内に導入されてしまう。
【課題を解決するための手段】
【０００４】そこで、吸気配管の途中に殺菌ボックスを設けて、吸気配管内を通過する空気の殺菌および化学物質の分解を行うものである。
【考案の効果】
【０００５】よって、本考案の吸気配管用空気殺菌装置により室内に混入する、微生物、化学物質を殺菌、分解することができる。
【考案を実施するための最良の形態】
【０００６】本考案に係る吸気配管用空気殺菌装置１０は、図１に示すように流入する空気を導入する殺菌ボックス１と、殺菌用の紫外線灯２を備えている。紫外線灯の出力は空気の流量によって決定される。
【図面の簡単な説明】
【０００７】
【図１】  本考案に係る吸気配管用空気殺菌装置を示した断面図である。
【符号の説明】
【０００８】１        殺菌ボックス
２        紫外線灯
１０      吸気配管用空気殺菌装置
Ｄ        配管
【図１】
0003119993.tif 000003
(57)【要約】      （修正有）【課題】灯油ホームタンク付設の給油口、及び油量計を覆う盗難防止カバーを取り付けホームタンク内の灯油の盗難を阻止する。【解決手段】灯油ホームタンクに付設する給油口、油量計を覆う箱型台座を基にした、盗難防止カバー連結金具をホームタンク中央突起板にカバーを開いた状態で内部側よりボルトを締めつけ、カバーを閉じた後施錠するものである。【選択図】図１
0003119996.tif 000002
【実用新案登録請求の範囲】
【請求項１】
灯油ホームタンクに付設されている給油口、油量計を覆うための箱型台座を固定し、該箱型台座の上面の一辺にヒンジ結合する箱型の盗難防止カバーを設け、該盗難防止カバーと前記箱型台座とを結合する連結金具を支点とする錠を構成して成る灯油ホームタンクの盗難防止カバー。
【考案の詳細な説明】
【技術分野】
【０００１】本考案は、灯油ホームタンクに付設する給油口、油量計を覆い給油口からの盗難を防止し、油量計の破損を防ぐためのカバーに関するものである。
【背景技術】
【０００２】従来、灯油ホームタンクに付設する給油口、油量計が完全に露出していた。
【考案の開示】
【考案が解決しようとする課題】
【０００３】従って、従来これは次のような欠点があった灯油ホームタンクに付設する給油口が、自由に開閉ができ油量計で灯油の残量が一目瞭然に判るので、盗難に対しては無防備であった、以上の課題に対し本考案解決改善を図るためになされたものである。
【課題を解決するための手段】
【０００４】灯油ホームタンク上部に付設している給油口、油量計を覆うため、箱型台座から成る箱型台座の上面の一辺にヒンジ結合する箱型の盗難防止カバーを設け該盗難防止カバーと前記箱型台座と連結金具を用いホームタンク上部突起板に盗難防止カバー内部より取り付けた後施錠をする。
【考案の効果】
【０００５】これには、次のような効果が期待できる、灯油ホームタンク上部に付設の給油口、油量計を盗難防止カバーで覆い施錠する事により給油口が自由にあけられない、油量計の残量がみえない事により盗難を防止すると共に、冬季給油口の凍結、油量計カバーの破損を保護することができる。
【考案を実施するための最良の形態】
【０００６】以下、本考案の実施の形態を図めんにもとづいて説明する、図１は本考案の灯油ホームタンク盗難防止カバーをホームタンク上部７に付設給油口、油量計５に覆い箱型台座２を固定し、該箱型台座の上面の一辺にヒンジ結合する箱型の盗難防止カバー１と連結具４を組み合わせたものをホームタンク上部中央突起板に、連結具についているボルト、ナット８を使用し盗難防止カバーの内側より取り付けた斜視図である。
図２は、給油作業時に盗難防止カバーを引き上げた側面図である、図３は、連結具４とホームタンク中央突起板に取り付け方法を示す側面図である、図４は、ホームタンク中央突起板に取り付け穴をあけフランジ１１を用い盗難防止カバーを引き上げた内側からナット１２を締めて取り付ける第２案の取り付け方法の側面図である、なお本考案の盗難防止カバー全体の形状は、円形立体および種々の形状が考えられる、又材質においても金属製、合成樹脂製を用いての製作が可能である。
【図面の簡単な説明】
【０００７】
【図１】  本考案の実施を示す斜視図である。
【図２】  給油作業時に盗難防止カバーを引き上げた状態を示す側面図である。
【図３】  上部突起板に取り付けをしている連結具の側面図である。
【図４】  上部突起板に取り付けをしている第２案の連結具の側面図である。
【符号の説明】
【０００８】  １  盗難防止カバー
２  箱型台座
３  掛け金
４  連結具
５  給油口、油量計
６  ホームタンク中央突起板
７  ホームタンク上部
８  ボルト、ナット
９  掛け金
１０  錠
１１  フランジ
１２  ナット
【図１】
0003119996.tif 000003
【図２】
0003119996.tif 000004
【図３】
0003119996.tif 000005
【図４】
0003119996.tif 000006
(57)【要約】      （修正有）【課題】暗い場所に置いてある眼鏡ケース、時計等でも蛍光塗料の放つ光によって容易に探しだすことが可能となる眼鏡ケースの提供。【解決手段】眼鏡のケース１の任意の位置に蛍光塗料を混入してなる樹脂フィルム２を装着した。【選択図】図１
0003119994.tif 000002
【実用新案登録請求の範囲】
【請求項１】
ケース１の任意の位置に蛍光塗料を混入してなる樹脂フイルム２を装着してなる眼鏡ケース。
【考案の詳細な説明】
【技術分野】
【０００１】  本考案は、暗闇でもその置き場所を容易に確認出来るようにした眼鏡ケースに関するものである。
【背景技術】
【０００２】  眼鏡ケース、時計その他常時使用している身の回り品等は置き忘れることがあり、特に高齢者にあってはその頻度多くなるのが一般的である。
このような場合に昼間のように明るい場合は比較的速く探すことが可能であるが、夜間等で照明が切れていいて暗闇の場合は探す容易ではない。
【考案が解決しょうとする課題】
【０００３】  本考案は、前記の煩わしさを解消し暗い場所でも発光体が光を放ち探し物の存在を容易に確認し得るようになる新規の製品（眼鏡ケース、時計等）の提供を目的としたものである。
【課題を解決するための手段】
【０００４】  本考案は、前記の目的を達成する手段として、眼鏡のケース１の任意の位置に蛍光塗料を混入してなる樹脂フイルム２を装着したものである。
【考案の効果】
【０００５】  本考案は、蛍光塗料を混入してなる樹脂フイルム２を眼鏡ケース１の任意の位置に装着したもので、夜間の暗い場所でも蛍光塗料即ち樹脂フイルム２が光を放ち、眼鏡ケース２の存在場所が容易に判明し、逐一探す煩わしさから解放される効果があり、しかもケース１の機能を損なうことがないばかりでなく、種々のデザインを施すことによりケース１の付加価値を著しく向上せしめ得る効果をも有するものである。
【考案を実施するための最良の形態】
【０００６】  本考案の具体的な構成を図に基づいて説明すると、眼鏡ケース１の任意の位置好ましくはケース１の上面に凹陥部３を設け、この凹陥部３に蛍光塗料を混入してなる樹脂フイルム２を接着固定する。尚、このフイルム２に種々の柄模様等を表示することも可能である。
次に前記樹脂フイルム２は、眼鏡ケース以外に時計のバンドに装着することも非常に有益となるものである。
【図面の簡単な説明】
【０００７】
【図１】  本考案に係る眼鏡ケースの斜視図
【図２】  同要部の断面図
【符号の説明】
１  眼鏡ケース
２  樹脂フイルム
【図１】
0003119994.tif 000003
【図２】
0003119994.tif 000004
(57)【要約】【課題】  かかとの床ずれを防止する為にかかと自体をやわらかい布で包み込む方法では、布団や足の重さをかかとの突起部１点で受けた状態には変わりなく、その上、かかと部が蒸れる、包み込み装具が皮膚で汚れる、履物を履いて寝ているような違和感がある等の問題がある。そこでかかとを包み込まない方法で床ずれを防止する装具を開発する。【解決手段】  かかとに集中する重さを足首周辺にも均等に分散すれば、かかとの突起部に掛かる重圧が低減されるのでかかとを包み込まなくても床ずれが防止出来る。その為に、軽くて、やわらかく、均等に弾力が得られ、装着感の良い羽毛をかかとの突起部と同じ厚みになるように挿入したサポーターを、パジャマの上から足首に装着出来るようにした装具。【選択図】図２
0003119999.tif 000002
【実用新案登録請求の範囲】
【請求項１】
寝ている状態では布団や足の重さがかかとに集中するが、その重さを足首周辺に均等に分散することでかかとに掛かる重さが低減されて床ずれが防止できるように、かかとの突起部と同じ厚みになるように羽毛を挿入して縫った布を、足首に巻きつけて装着するようにした羽毛入りのサポーター。
【考案の詳細な説明】
【考案の詳細な説明】
【技術分野】
【０００１】  本考案は、寝たきりの患者が困っているかかとの床ずれ防止において、装着していて違和感があり、その他多くの問題が考えられるかかと包み込み方式の装具ではなく、もっと違和感の少ない気持ち良い寝心地が得られる床ずれ防止の装具に関する考案である。
【背景技術】
【０００２】  従来、かかとの床ずれ防止用具として普及しているのは、寝ている状態でもかかとの位置が動く為にかかとの皮膚の上から直接毛のような摩擦が少ないやわらかい布で包み込み、かかとに履物を履いたような状態で寝る装具が一般的。
【考案が解決しようとする課題】
【０００３】  従来の技術では、かかとを直接包み込んだ状態なので、履物を履いたまま寝ているような違和感があり、布団や足の重さをかかとの突起部１点で受けた状態には変わりがない上に、かかとの皮膚が直接毛のようなやわらかい物に密着するのでかかと部が汗で蒸れ易く、装具も汚れ易く、露出しているやわらかい毛のようなものが飛散する等不潔でもある。
【０００４】  又、かかとの部分を包み込んだままで立ち上がると、足裏が不安定で危険な為に装具をその都度取り外す必要がある。
【０００５】  本考案は、寝たきりの患者が上記のように従来の用具で困っている課題を解決するために考えたものである。
【課題を解決するための手段】
【０００６】  先ず、履物を履いているような違和感を無くす為に、装具はかかとに装着するものではなく足首に装着するものとし、締め付け具合を自分の好みに調整できる装具とする。
【０００７】  装着していても気持ちよい寝心地が得られるように、非常に軽く、やわらかく、感触、通気性、保温性も良く、やわらかい弾力性を兼ね備えた羽毛を使用した装具とする。
【０００８】  羽毛を布と布の間に挟み込み、羽毛が布の中で移動しないように、又、羽毛の入った厚みが均等にかかとの突起部と同等の厚さになるように縫い付けたものを足首に巻き込む装具とする。
【０００９】  従来はかかとの皮膚が装具に直接密着して蒸れ易く、汚れ易く、毛が飛散する問題も、羽毛を挟み込んだ布のサポーターをパジャマの上から足首に装着することで解決する。
【００１０】  更に換気効果を向上する為に、サポーターの包み込む面の一部を開放する。
【考案を実施するための最良の形態】
【００１１】  考案の実施の形態については図１の商品の概要を参照して説明する。
サポーターの締め付け具合を調整して足首に固定する為の接着テープ（１）が付いた装着調整バンド（２）を有し、かかとの突起部と同じ厚さに挿入した羽毛を、ミシン目（５）で移動しないようにした羽毛入りサポーター（４）で、通気性を良くする為に開放部（３）を設けた足首装具である。
【実施例】
【００１２】  実施例については図２商品の装着図を参照して説明する。
患者が寝ている状態で、パジャマの上から開放部（３）を上に向けて羽毛入りサポーター（４）を足首に巻きつけるように装着し、装着調整バンド（２）で自分に合った締め付け具合を選んで調整しながら接着テープ（１）で装着を固定する。
【考案の効果】
【００１３】  装着後、かかとと足首に巻いたサポーターの底面が敷布団の上で一直線となり、かかと１点に集中していた重量が足首周辺まで均等に分散されることになる。
【００１４】    サポーターに入っている羽毛は非常に軽くて、やわらかく、感触、通気性、保温性が優れている上に、羽毛独特のやわらかい弾力が、かかとだけに掛かっていた布団や足の重さを均等に分散して受けとめてくれるので装着感がすばらしく、装着したまま心地よく寝ることが出来る。
【００１５】  サポーターは、パジャマの上から足首に装着する事が出来るので、直接皮膚を包み込むよりは蒸れ難く汚れ難いので清潔である。
【００１６】  サポーターは足首に装着するので、足裏は素足状態となり立ち上がる時でも装着したままでよい。
【００１７】  羽毛の入った足首装着サポーターは、温かく保温性が優れている為に床ずれ防止だけでなく足の冷えを防止する装具としても利用することが可能。
【図面の簡単な説明】
【図１】  商品の概要を側面から見た図である。
【図２】  商品を足首に装着した装着図である。
【符号の説明】
１．  接着テープ
２．  装着調整バンド
３．  開放部
４．  羽毛入りサポーター
５．  ミシン目
【図１】
0003119999.tif 000003
【図２】
0003119999.tif 000004
(57)【要約】      （修正有）【課題】食品を盛りつける皿鉢の余分な水分、油分等を除去し、そのまま食卓に出してもおかしくない、食器を提供する【解決手段】皿鉢の底部に穴２を開け水分、油分を落とし、水分、油分は付属の受け皿３で受ける。【選択図】図２
0003119997.tif 000002
【実用新案登録請求の範囲】
【請求項１】
皿鉢の底部に穴を開けた食器
【考案の詳細な説明】
【技術分野】
【０００１】本考案は  皿鉢の形状機能に関するものである。一般的に浅い形状のものを皿、深い形状の物を鉢と呼称されるので、本書類では以降  「鉢」と記する。
【背景技術】
【０００２】従来は陶磁器等の食器に水切り等のため、わざわざ穴の開けた器はなかった。
【考案が解決しようとする課題】
【０００３】食品によっては、金網やざるで水切り、油切りした後、鉢に盛りつけないと、食品の水分、油分がうつわにたまり、水ぽっくなったり、べたついたりし、食感が悪くなっていた。かといって、金網やざるは裏方の台所用品であり、それをそのまま出すのは好ましくなく、本考案の鉢はそれらを十分、満たすものである。
【課題を解決するための手段】
【０００４】鉢の底部に１個から数個の穴を開け、食品に付着した水分や，油分を底部から落とし、受け皿にためるものである。
【考案の効果】
【０００５】この鉢を使えば、すぐに器に盛り、そのまま食卓に出しても様になり、２度手間もなくなる上、みずみずしさも保ち、べたつきもなく、食感がよくなる。
【０００６】普通、家庭で冷やしソーメンをつくる時、茹でた後水で冷やし、氷水を入れたうつわに入れ冷やしそれを、蕎麦猪口のたれにつけ食べる。その時、ソーメンに余分な水分がつくため、だんだんたれが薄くなり、おいしさが半減してくる。この考案の「穴あき鉢」の底に氷を入れ、その上にソーメンを置き、冷やしながら、すぐに食べれる上、たれも、さほど、うすくならずおいしく食べれる。
このように、冷やして食べたい食品、例えば冷や奴とか刺身の盛りつけとか、従来であれば、冷やすための氷がとけ、水っぽくなるのはやむおえず、あきらめていた食品の盛りつけ用の器として、この鉢は、より効果を発揮できる。
【０００７】天ぷらも揚げた物はいったん金網等のトレーに移し、油分を切り、盛りつけ用の器に移す。これはからっと揚げた天ぷらの、不要な油分をとらないと食感が悪くなるからである。この鉢を使えば、揚げたてんぷらを、そのまま盛りつけて出しても，不要な油分は穴から落ち、からっとした食感が味わえるし見映えもよい。
【０００８】サラダ、苺などはみずみずしさを見せる盛りつけのため、水洗後、すぐに器に入れ食卓に出すが、底に水がたまり、終わりの頃食べると、水っぽくなる。この鉢を使えば不要な水分を落とし、おいしく食べれる。
【考案を実施するための最良の形態】
【０００９】図１は、鉢の上から見た平面図で、複数の穴が開けてある。この穴より水分、油分が落下する。【００１０】図２は、鉢の断面と受け皿の断面図である。底部から落下した水分、油分は下部の皿で受ける。【００１１】この鉢の材料は、陶磁器が最適と見られるが、漆器、ガラス、木、プラスチック、金属等、食器として使用出来る材料であれば問題ない。
【図面の簡単な説明】
【００１２】
【図１】鉢の平面図である。
【図２】鉢と皿受けの断面図である。
【符号の説明】
【００１３】１      鉢の上から見た形状
２      鉢の底部に開けられた穴
３      鉢に付属の受け皿
【図１】
0003119997.tif 000003
【図２】
0003119997.tif 000004
(57)【要約】      （修正有）【課題】火器前で長時間作業しても、熱さの苦痛を感じたり、前大腿部を火傷したりすることがないズボンを提供する。【解決手段】着用者Ａの前大腿部に相当する部位にポケット２を設け、冷却材を封入した袋体４をポケット２に収納して装着することにより、火器からの輻射熱で加熱される着用者の前大腿部とこの部位のズボン１の生地を冷却材で冷却するとともに、冷却材を封入した袋体４で輻射熱を遮断し、火器前で長時間作業しても、熱さの苦痛を感じたり、前大腿部を火傷したりしないようにした。【選択図】図１
0003119942.tif 000002
【実用新案登録請求の範囲】
【請求項１】
着用者の前大腿部に相当する部位に、冷却材を封入した袋体を装着したズボン。
【請求項２】
前記着用者の前大腿部に相当する部位にポケットを設け、前記冷却材を封入した袋体をこのポケットに収納して装着した請求項１に記載のズボン。
【考案の詳細な説明】
【技術分野】
【０００１】
本考案は、コンロ等の火器前での作業に好適なズボンに関する。
【背景技術】
【０００２】
コンロ等の火器前で行う調理等の作業では、火器からの輻射熱によって、特に、作業者の前大腿部およびこの部位のズボンの生地が加熱され、作業者が熱さの苦痛を感じることがある。火器前で長時間作業する専門の調理師の場合は、前大腿部を火傷することもある。
【０００３】
この火器から前大腿部への輻射熱の直撃を防止するために、ズボンの上に前掛けを付けて作業することもあるが、前掛けを付けるのみでは、十分に熱さの苦痛を和らげたり、火傷を防止したりすることができず、調理等の作業を中断しているのが実情である。
【考案の開示】
【考案が解決しようとする課題】
【０００４】
そこで、本考案の課題は、火器前で長時間作業しても、熱さの苦痛を感じたり、前大腿部を火傷したりすることがないズボンを提供することである。
【課題を解決するための手段】
【０００５】
上記の課題を解決するために、本考案のズボンは、着用者の前大腿部に相当する部位に、冷却材を封入した袋体を装着した構成を採用した。
【０００６】
すなわち、着用者の前大腿部に相当する部位に、冷却材を封入した袋体を装着することにより、火器からの輻射熱で加熱される着用者の前大腿部とこの部位のズボンの生地を冷却材で冷却するとともに、冷却材を封入した袋体で輻射熱を遮断し、火器前で長時間作業しても、熱さの苦痛を感じたり、前大腿部を火傷したりしないようにした。
【０００７】
前記着用者の前大腿部に相当する部位にポケットを設け、前記冷却材を封入した袋体をこのポケットに収納して装着することにより、冷却材を封入した袋体を簡単にズボンに装着することができる。
【考案の効果】
【０００８】
本考案のズボンは、着用者の前大腿部に相当する部位に、冷却材を封入した袋体を装着することにより、火器からの輻射熱で加熱される着用者の前大腿部とこの部位のズボンの生地を冷却材で冷却するとともに、冷却材を封入した袋体で輻射熱を遮断するようにしたので、火器前で長時間作業しても、熱さの苦痛を感じたり、前大腿部を火傷したりすることがない。
【０００９】
前記着用者の前大腿部に相当する部位にポケットを設け、冷却材を封入した袋体をこのポケットに収納して装着することにより、冷却材を封入した袋体を簡単にズボンに装着することができる。
【考案を実施するための最良の形態】
【００１０】
以下、図面に基づき、本考案の実施形態を説明する。図１に示すように、このズボン１は長ズボンであり、着用者Ａの両側の前大腿部に相当する部位にポケット２が設けられ、これらの両側のポケット２に、図２に示すような、冷却材３としてノルマルパラフィンを封入した袋体４が収納されて装着されている。図３に示すように、ポケット２の内面側の生地は、着用者Ａの前大腿部を冷却材３で効率よく冷却できるように、メッシュ２ａで形成されている。
【００１１】
前記ノルマルパラフィンは直鎖状のパラフィン系炭化水素であり、冷却温度を保持する融点が炭素数によって変化する。この実施形態では、炭素数が１４で融点が５．９℃のものが用いられている。この冷却材３を封入した袋体４は、ノルマルパラフィンが凝固するまで冷凍室等で冷却されてから使用され、ノルマルパラフィンの融解熱によって、冷却温度をその融点に保持する。
【００１２】
上述した実施形態では、ズボンを長ズボンとしたが、本考案に係るズボンは半ズボンとすることもできる。
【図面の簡単な説明】
【００１３】
【図１】ズボンの実施形態を示す正面図
【図２】図１の冷却材を封入した袋体を示す切欠き斜視図
【図３】図１のポケットの断面図
【符号の説明】
【００１４】
１  ズボン
２  ポケット
２ａ  メッシュ
３  冷却材
４  袋体
【図１】
0003119942.tif 000003
【図２】
0003119942.tif 000004
【図３】
0003119942.tif 000005
(57)【要約】      （修正有）【課題】泡立て器に卵黄と卵白を分離するための機能を設けた家庭用泡立て器を提供する。【解決手段】軸部3の上端に複数のループ状の泡立て部材2を電球型に中心部に空間を設けた状態で上方向に放射状に取り付けるとともに、前記泡立て部材2を連結する様に、泡立て部材2の上端部から下方に向かって渦巻状の線状分離部4を取り付けた。【選択図】図１
0003119928.tif 000002
【実用新案登録請求の範囲】
【請求項１】
泡立て器の軸部の上端に複数のループ状の泡立て部材を電球型に中心部に空間を設けた状態で上方向に放射状に取り付けるとともに、前記泡立て部材を連結する様に、泡立て部材の上端部から下方に向かって渦巻状の線状分離部を取り付けたことを特徴とする卵黄分離機能付き泡立て器。
【考案の詳細な説明】
【技術分野】
【０００１】
本考案は泡立て器に卵黄と卵白を分離するための機能を設けた家庭用泡立て器に関するものである。
【背景技術】
【０００２】
家庭用泡立て器としては、軸部の上端に複数のループ状の泡立て部材を中心部に空間を設け放射状に取り付けたものがある（例えば：特許文献１参照）。また、卵黄取り付き攪拌器（例えば：特許文献2参照）がある。狭口の容器に固定して使用する黄身分け器がある。
【特許文献１】実開平6−38833号公報
【特許文献２】実公昭32−1752号公報
【考案の開示】
【考案が解決しようとする課題】
【０００３】
泡立て器の主な使用目的は卵白の泡立てであって、しかも卵白のみを使用するので卵白と卵黄の分離が必然となる。泡立て器は卵白と卵黄を分離する機能は本来持っていないので、卵白と卵黄を分離する器具が必要となる。器具を使わずに分離するには卵黄が破れ易く技術を要し失敗しやすいという欠点がある。また既存の分離する器具を使うと容器や人手が多く必要となる。例えば特許文献2では卵黄を分離する際卵黄取り付き攪拌器を固定することができず、泡立て器を持つ人と卵をその中に割り入れる人とが必要となり、１人ではできない。また黄身分け器は狭口の容器に固定して分離するので、泡立てる容器（広口ボール）に移し替えなければならない。さらに、例えば特許文献１のように泡立て器本体の構造が複雑化すると取り扱いや洗浄が容易にできないという問題が生じるので、本考案はこのような問題を解決しようとするものである。
【課題を解決するための手段】
【０００４】
本考案は、泡立て器の軸部の上端に複数のループ状の泡立て部材を電球型に中心部に空間を設けた状態で上方向に放射状に取り付けるとともに、前記泡立て部材を連結する様に、泡立て部材の上端部から下方に向かって渦巻状の線状分離部を取り付けることにより問題点を解決している。
「作用」
【０００５】
従来は、別容器で分離した卵白を泡立てる容器（広口ボール）に移し替えて、泡だて器で攪拌して泡立て作業に入るが、本考案の卵黄分離機能付き泡立て器は、分離部が曲状の線状の渦巻状なので割りいれた卵の中に挿入すると、球体である卵黄が線状分離部の内側に流入して、卵黄を傷つけることなく素早く分離することができることによる。
【考案の効果】
【０００６】
上述の様に、本考案の卵黄分離機能付き泡立て器は、泡立て器本体に分離機能を設けることにより、泡立てる広口容器に直接割り入れた卵を、泡立て器を把持したままで卵白と
卵黄を分離することができる。分離部が曲状の線状の渦巻状だから球体である卵黄を確実に受け止め卵黄のみを取り出すことができ、容器を移し替えることなく、残った卵白をそのまま泡立てることができるという効果がある。泡立てた後に粉を入れて混ぜる時のダマができても先端の分離部を利用して素早くなめらかにすることができるので作業がスムーズに進むという効果も生じる。また軸部の上端に複数のループ状の泡立て部材を電球型に中心部に空間を設けた状態で上方向に放射状に取り付けた構造だから取り扱いや洗浄が容易で衛生的でもある。
【考案を実施するための最良の形態】
【０００７】
本考案の実施の形態を実施例となる添付図面に従って説明する。
図１〜図3において、泡立て器の泡立て部材１は連続作業に耐え得る太さ0.1〜0.15cmの錆びにくいステンレス線で４本〜6本のループ状の泡立て部材2（ここでは４本使用）のものを電球型に中心部に空間を設けた状態で下方に放射状に軸部3に取り付けたものである。軸部3は合成樹脂製等で泡立て部材2を差し込みしっかり固定する。そして泡立て部材１と同質のステンレス線を泡立て部材2の内側に連結する様に上端部から下方に向かって約１cmの間隔で3〜4回転の渦巻の線状の直径約４〜５cmの分離部４を取り付けたものである。なお、泡立て部材2の電球型に空間を設けた中心部の大きさが直径１０cmを超えるものは、その中心部の直径の2分の１の長さを分離部4の直径とする。
【図面の簡単な説明】
【０００８】
【図１】本考案の実施例となる卵黄分離機能付き泡立て器の正面図である。
【図２】本考案の実施例となる卵黄分離機能付き泡立て器の上面図である。
【図３】本考案の実施例となる卵黄分離機能付き泡立て器の斜視図である。
【符号の説明】
【０００９】
１  泡立て器
２  泡立て部材
３  軸部
４  線状分離部
【図１】
0003119928.tif 000003
【図２】
0003119928.tif 000004
【図３】
0003119928.tif 000005
(57)【要約】      （修正有）【課題】開き干物は、背骨の周辺に黒褐色の滲血斑Ｂが現れることは周知の事実であり、従来は滲出斑の出現を防止できなかった。薬品による化学的処理に依らず、また、魚体に損傷を与えずに真空包装を行っても魚身に滲血斑を生じない開き魚や干物などを提供する。【解決手段】常法によって前処理された魚体の背骨の尾部側脊柱６Ｂ内の骨髄内容物を、脊柱６の中間開口部８から挿入した棒体によって椎間１０から体外に押出して排出除去した後、常法により所要の加工処理を施す。【選択図】図１
0003119925.tif 000002
【実用新案登録請求の範囲】
【請求項１】
魚体脊柱の中間開口部より尾部側脊柱内の骨髄内容物が排出除去されて身の表面及び内面に滲血斑を生じないことを特徴とする血抜き開き魚。
【請求項２】
請求項１記載の開き魚が塩汁浸漬後、乾燥加工処理されてなる血抜き開き干物。
【請求項３】
請求項１又は２記載の血抜き開き魚又は開き干物を透明袋内に収容して真空包装してなる包装開き魚又は包装干物。
【考案の詳細な説明】
【技術分野】
【０００１】
この考案は、身の表面に血の滲みが出ない干物用などの血抜き開き魚に関する。
【背景技術】
【０００２】
干物は尾頭付で加工されるものであって干物の一般的な製法は、特許文献１に記載されているように（１）原料魚の魚体を開き、内臓を除去して腹骨上部をブラシなどを使って洗浄する（前処理工程）、（２）全体を水洗して塩汁につける（塩汁浸漬工程）、（３）所定時間後、水洗し水切り後、網干しする（水洗水切り工程）、（４）乾燥機に入れて乾燥する（乾燥工程）のように行われ、必要により真空包装後、急速冷凍して出荷される。      
【０００３】
このように加工された開き干物は、図３に示すように背骨周辺に黒褐色の血の滲みＢや血管が筋状に現れる（以下滲血斑という）ことは店頭の干物に見られるごとく周知の事実である。    
滲血斑Ｂは、真空包装のよって一層広範囲に顕著に現れるので本来、商品価値を高め保存性を良くするための真空包装は却って商品価値を減殺することになっていた。  このようなことから、滲血斑を減少或いは消除するため骨付き側半身を厚くして開くなど様々な試行錯誤が行われたが、有効な手段がなく、現在まで滲血斑を防止することは実際上不可能と考えられていたのである。
【０００４】
【特許文献１】実用新案登録第３０７７９３５号公報
【考案の開示】
【考案が解決しようとする課題】
【０００５】
本案は、薬品による化学的処理に依らず、また、魚体に損傷を与えずに長期に亘って魚身に滲血斑を生じない開き魚や真空包装干物などを提供するものである。
【課題を解決するための手段】
【０００６】
本案干物等は、常法によって前処理した魚体の背骨（脊柱）の尾部側脊柱管内に存在している骨髄内容物を血抜き処理によって体外に排出させて除去した後、所要の加工処理を施したものであって、通常の干物は勿論、乾燥後の開き状態で冷凍せずに真空包装しても滲血斑を生じない効果があるものである。
本案における血抜き処理は、水中又は流水下で脊柱中間に位置して腹部下側に開口する中間開口部（学名は不詳）から尾部に向かう脊柱管内に、魚体の大きさ又は尾部側脊柱管の長さ及び太さに応じた直径１ｍｍ〜２ｍｍの押出し用棒体を挿入して進退運動させることによって椎体間から血液を含む脊髄内容物を排出除去するものである。
骨髄排出用棒体は、金属製又は硬質プラスチック製で容易に屈曲しないものが良い。
【考案の効果】
【０００７】
本案品は、造血組織である骨髄が除去されているので、その後の如何なる処理によっても滲血斑を生じないことは勿論、魚体には何らの損傷も残らないから魚本来の形態を保持できる。
本案品の魚身表面には、血液などの皮膜がないのでツヤがあって美麗であり、従来品と対比すればその差は歴然である。
更に、血抜き処理に使用する用具は、金属などの線条体又は棒体であって特別な用具を必要としないから経済的であり、その操作も単純であって何人にも実施できる。
【考案を実施するための最良の形態】
【０００８】
図1は、背骨を強調して描いた開き魚の内面展開図であって、１は頭、２は胴部、３は腹部又は胸部、４は尾、５は背部連接部である。    ６は背骨又は脊柱であって、腹部脊柱６Ａが背側に湾曲し、尾部側脊柱６Ｂは、ほぼ直線であってその内部には造血組織である骨髄を収容している。
７は腹部の肋骨、８は、脊柱の中間、即ち、腹部の湾曲部と直線部の境に位置して下側に開口している中間開口部、９は、脊柱を構成している椎体、１０は椎間である。
図２において、１１は骨髄押出し具であって直線状の挿入棒体１２を備える。
棒体部１２のサイズは魚体の大きさによって異なるが、中型アジの場合、直径1.5ｍｍ、長さ約10ｃｍである。
【０００９】
棒体１２を中間開口部８から脊柱管１３内に挿入して進退運動させると骨髄液が椎間１０から押出されて滲出してくる。    この作業は、水中又は流水下で行われ、１０〜２０回（約１０〜２０秒）の進退運動によって骨髄量の８０％以上が流出除去され、以後滲血は視認できなくなる。
以上のようにして血抜き処理された開き魚は、水洗後、目的に応じて従来と全く同様に種々な加工処理が行える。
なお、サバ、エボダイその他の魚種についても棒体の直径、長さを変えて実施して同様の効果がある。
【図面の簡単な説明】
【００１０】
【図１】本考案開き魚の展開図
【図２】血抜き処理の模型的説明図
【図３】従来の開き干物の展開図
【符号の説明】
【００１１】
６  脊柱
６Ａ  腹部湾曲部
６Ｂ  尾部側脊柱
７  肋骨
８  中間開口部
９  椎体
１０  椎間
【図１】
0003119925.tif 000003
【図２】
0003119925.tif 000004
【図３】
0003119925.tif 000005
(57)【要約】      （修正有）【課題】死者愛用の眼鏡と類似で副葬しても遺骨を損ねず環境を損ねない可燃性擬似眼鏡を提供する。【解決手段】副葬しても遺骨を損ねず環境を損ねない可燃性材料として硝酸又は酢酸セルロースを採用し、枠部もレンズ部もそれで作成する。レンズ部分は透明なセロロース樹脂で作成し、枠・蔓部分は着色セルロース樹脂で作成する。レンズ部分は無色透明なセロロース樹脂で作成し、枠・蔓部分はアルミ粉で銀色に着色した。【選択図】図１
0003119956.tif 000002
【実用新案登録請求の範囲】
【請求項１】
燃焼時有毒ガスを発生せず、遺骨を汚さない擬似眼鏡
【考案の詳細な説明】
【考案の詳細な説明】
【技術分野】
【０００１】  本考案は  エンバーミングの一助となる  副葬品としての擬似眼鏡である。
死者が生前  眼鏡を愛用していたならば  当然  遺影にも遺体にも眼鏡が存在する。
しかし  眼鏡を遺品として残す場合や、環境問題などで合葬火葬できない場合  お別れの儀に際し  遺族・関係者や参列者が遺体と対面した折り  遺体に眼鏡が無いと  生前の記憶との差異で  馴染め無いことが避けられない。生前愛用の眼鏡と類似で  環境問題にならない材質の擬似眼鏡が有れば  甚だ好都合である。
【背景技術】
【０００２】  死者愛用の眼鏡が遺品として貴重であるのは当然であり、遺影と遺体が似ていないのは甚だ残念な事でもある。お別れの儀の為に  やむなく類似の眼鏡を購入し副葬しているが、眼鏡の材質によっては  遺骨を汚したり  大気を汚染したりする虞もある。
【考案が解決しようとする課題】
【０００３】  以前  死者が愛用していた遺品は副葬するのが慣習であったが、近頃  遺品は遺族へ残す例が多く  愛用の眼鏡も副葬しない例があり  その場合  お別れの儀に際し  遺影と異なる  遺体の容貌に  違和感を持つ事例も多々ある。そこに  死者愛用の眼鏡と類似で副葬しても  遺骨を損ねず  環境を損ねない  可燃性擬似眼鏡を提供するものである。
【課題を解決するための手段】
【０００４】  副葬しても  遺骨を損ねず  環境を損ねない  可燃性材料として  硝酸又は酢酸セルロースを採用し  枠部もレンズ部もそれで作成する。
【考案を実施するための最良の形態】
【０００５】  レンズ部分は透明なセロロース樹脂で作成し  枠・蔓部分は着色セルロース樹脂で作成する。
【実施例】
【０００６】  レンズ部分は無色透明なセロロース樹脂で作成し  枠・蔓部分はアルミ粉で銀色に着色した。
0003119956.tif 000003
【手続補正書】
【提出日】平成17年9月1日(2005.9.1)
【手続補正１】
【補正対象書類名】実用新案登録請求の範囲
【補正対象項目名】全文
【補正方法】変更
【補正の内容】
【実用新案登録請求の範囲】
【請求項１】
燃焼時有毒ガスを発生せず、遺骨を汚さない擬似眼鏡。
【手続補正２】
【補正対象書類名】明細書
【補正対象項目名】全文
【補正方法】変更
【補正の内容】
【考案の詳細な説明】
【技術分野】
【０００１】  本考案は、エンバーミングの一助となる副葬品としての擬似眼鏡である。死者が生前  眼鏡を愛用していたならば  当然  遺影にも遺体にも眼鏡がする筈である。
しかし  眼鏡を遺品として残す場合や、環境問題などで合葬火葬できない場合お別れの儀に際し  遺族・関係者や参列者が  遺体と対面した折り  遺体に眼鏡が無いと  生前の記憶との差異で  馴染め無い事は避けられない。生前愛用の眼鏡と類似で  環境問題に成らない材質の擬似眼鏡が有れば  甚だ好都合で有る。
【背景技術】
【０００２】  死者愛用の眼鏡が遺品として貴重であるのは当然であり、他方遺影と遺体が似ていないのは甚だ残念な事でもある。お別れの儀の為にやむなく類似の眼鏡を購入して  副葬しているが、眼鏡の材質によっては  遺骨を汚したり  大気を汚染したりする虞もある。
【考案が解決しようとする課題】
【０００３】  以前  死者が愛用していた遺品は副葬するのが慣習であったが、近頃  遺品は遺族へ残す例が多く  愛用の眼鏡も副葬しない事があり  その場合お別れの儀に際し遺影と異なる遺体の容貌に  違和感を持つ事例も多々ある。そこに  死者愛用の眼鏡と類似で副葬して遺骨も環境も損ねない  可燃性擬似眼鏡を提供するものである。
【課題を解決するための手段】
【０００４】  そこで本考案では、副葬して遺骨も環境も損ねない  可燃性材料として  ポリエチレン、ポリプロピレン、ポリアセタールを採用し  レンズ部分も枠・蔓部分もそれらで作成する。
【考案を実施するための最良の形態】
【０００５】  レンズ部分は透明なプラスチックで作成し、枠・蔓部分は着色プラスチックで作成する。
【実施例】
【０００６】  レンズ部分は透明なポリアセタールで作成し、枠・蔓部分は着色ポリアセタールで作成する。
【図面の簡単な説明】
【０００７】
【図１】  代表的な擬似眼鏡の基本的形状の図である。
【符号の説明】
【０００８】  １  レンズ
２  枠
３  蔓
【手続補正３】
【補正対象書類名】図面
【補正対象項目名】全図
【補正方法】追加
【補正の内容】
【図１】
0003119956.tif 000004
【手続補正書】
【提出日】平成17年12月5日(2005.12.5)
【手続補正１】
【補正対象書類名】実用新案登録請求の範囲
【補正対象項目名】全文
【補正方法】変更
【補正の内容】
【実用新案登録請求の範囲】
【請求項１】
酢酸繊維素樹脂で成型された擬似眼鏡。
(57)【要約】      （修正有）【課題】男性の軽い尿もれ対策として、従来のオムツやパンツを使用するまでもなく取り扱い着脱が簡単で嵩張らず使用感もよくゴミも減らせ、女性の生理用品と同感覚で使用でき大変便利な尿もれ対策用品の提供。【解決手段】本体は大変簡単なものである。７〜８センチ幅のリボン状の物の下部を整理用パッド状のもので袋状にし、使用時にその袋の中に陰茎を入れると筒状になり、そこにもれた尿が入る。その端をパンツのウエスト部分から外に出して、下にたらして固定する。下着（パンツ）を着けたままでウエスト部分より着脱でき、外出時や介護又は医療用にも使用できる。【選択図】図４
0003119958.tif 000002
【実用新案登録請求の範囲】
【請求項１】
尿吸収剤のパッドを袋状にして下着のウエスト部分に挟みつり下げるだけで着用使用が簡単で使い捨てができる用品
【考案の詳細な説明】
【考案の詳細な説明】
【考案が解決しようとする課題】
【０００１】男性の軽い尿もれ対策として従来のオムツやパンツまで必要のない人にとって簡単で使い捨てができるものが望ましい
【課題を解決するための手段】
【０００２】ウエストの部分から中のパッドが入った封筒状のところを広げ筒状にし、そこに陰茎を入れてつり下げるようにし、端をパンツから出しウエスト部分に外出し折り下げて固定する
【考案の効果】
【０００３】ウエスト部分から簡単に着脱でき、下腹全体を覆う必要なく従来の使い捨てオムツやパンツよりも少ない材料で出来、ごみも減らすことが出来る。また素材は女性用生理用品を応用すれば生産も簡単でコスト安にもつながると思われる
【図面の簡単な説明】
【図１】考案した用品全体の正面図である
【図２】考案した用品の背面図である
【図３】下部袋の部分の断面図である
【図４】使用状況を示す見取図である
【符号の説明】
１．発案品本体形状を示す
２．下部の尿吸収パッドで袋状になっている部分を示す
３．吸収パッド部分の断面図である
４．パンツ（下着）を示す
５．発案品の装着を示す
【図１】
0003119958.tif 000003
【図２】
0003119958.tif 000004
【図３】
0003119958.tif 000005
【図４】
0003119958.tif 000006
【手続補正書】
【提出日】平成17年9月5日(2005.9.5)
【手続補正１】
【補正対象書類名】実用新案登録請求の範囲
【補正対象項目名】全文
【補正方法】変更
【補正の内容】
【実用新案登録請求の範囲】
【請求項１】
男性用尿漏れ・失禁対策用品で非常にシンプルで使用しやすいものである。
尿吸収剤の入った、女性用生理パッドと同様なものを袋状にし、袋の開口部半分の幅をひも状にする。袋の中に陰茎を入れ、ひも状のものを下着のウエストの部分にはさんで固定する。
現在市販されているものは腰全体を覆うオムツ状で、広範囲にシートを重ねたものや特別製のパンツに合わせてパッドを装着するのが一般的である。これらの製品は、日常生活において尿漏れに悩む男性にとって夏季は蒸れて暑く、また着脱もズボンを脱がなくてはならない。
考案した用品は、日常自分が使用しているパンツやブリーフなどの下着を用い、用品の袋部分に陰茎を入れ、ひもの端を下着のウエスト部分に挟むだけで装着できる。
このように使用が簡単であり、使い捨てなので洗濯の必要も無い。また袋状の部分は素材に通気性シート・高吸収剤を使用することで、かなりの量の尿を吸収拡散することができる。
この用品は、いたってシンプルな形状で嵩張らず、少ない材料で生産することが可能であり、低コスト・大量生産が可能である。
尿漏れ対策のみならず、陰茎を保護することもできるため泌尿器科など医療用品としての利用も可能である。
【手続補正書】
【提出日】平成17年12月8日(2005.12.8)
【手続補正１】
【補正対象書類名】実用新案登録請求の範囲
【補正対象項目名】全文
【補正方法】変更
【補正の内容】
【実用新案登録請求の範囲】
【請求項１】
尿吸収剤のパッドを袋状にして、つり下げ具により下着のウエスト部分にはさんで固定する男性用尿漏れ・失禁対策用品。
(57)【要約】      （修正有）【課題】マルチング資材と用土の同化を防ぐとともに、鳥等の害を防ぐ。【解決手段】植物繊維及びウールをマット状にし、支柱の穴２及び株を通す切り込み１ａ１ｂを有するマルチング資材マルチマットとする。これにより用土との同化を防ぐ。また、用土をマットで被っているため鳥等の害を防止する。【選択図】図１
0003119952.tif 000002
【実用新案登録請求の範囲】
【請求項１】
植物繊維及びウールをマルチング資材に使用し、これをマット状にする。
【請求項２】
マットには支柱を通す穴と株を通す切り込みを有する鉢用のマルチマット。
【考案の詳細な説明】
【技術分野】
【０００１】本考案は植物繊維及びウールをマット状にし、支柱の穴及び株を通す切り込みを有するマルチング資材マルチマットである。
【背景技術】
【０００２】腐葉土などの資材を用土の上に被せていた。
【考案の開示】
【考案が解決しようとする課題】
【０００３】従来の資材ですと用土と同化してしまいマルチングの効果が薄れるとともに、肥料等を鳥等に掘り起こされてしまっていた。また、潅水の際に直接用土に接していたため、用土が固まってしまった。これらの問題を解決するためのマルチ資材である。
【課題を解決するための手段】
【０００４】本考案は、植物繊維及びウールをマット状にすることにより、問題を解消する。
【考案の効果】
【０００５】マット状にすることにより、土との混合がなく、また表面をマットで被ってしまうため、鳥などの被害を食い止めることができる。
【考案を実施するための最良の形態】
【０００６】鉢にウォータースペースを十分設た状態で用土の上に被せる。ウォータースペースが少ないと鉢からマットがはみ出してしまい効果が薄れるので注意する。
【実施例】
【０００７】以下、添付図面に従って実施例を説明する。１ａは株を通すための切り込み、１ｂは株の太さに合わせるための切り込み、２は支柱を立てる穴、３は植物繊維及びウールの素材。
【産業上の利用可能性】
【０００８】  園芸用のマルチングマットを使用することにより、用土が外部に飛び散らかず衛生的かつ天然素材の色合いがガーデニングにも受け入れられる。
【図面の簡単な説明】
【図面の簡単な説明】
【０００９】
【図１】本考案のマルチマットを示した平面図である。
【符号の説明】
【００１０】１ａ    株を入れる切り込み
１ｂ    株の大きさに合わせるための切り込み
２      支柱を通す穴
３      植物繊維及びウール
【図１】
0003119952.tif 000003
【手続補正書】
【提出日】平成17年6月16日(2005.6.16)
【手続補正１】
【補正対象書類名】実用新案登録請求の範囲
【補正対象項目名】全文
【補正方法】変更
【補正の内容】
【実用新案登録請求の範囲】
【請求項１】
植物繊維及びウールをマルチング資材に使用し、これをマット状にし、前記マットには支柱を通す穴と株を通す切り込みを有する鉢用マルチマット。
(57)【要約】      （修正有）【課題】石膏ボードは、断熱、保温性には優れているが、もろくて釘、ネジは、使用出来ない。内壁として多く使われているが、多くの人々は、不自由を強いられている。【解決手段】石膏ボード２に、ベニヤ合板１、木材板、金属板等を、接着剤で張り合わせる事によって、新合成ボードとして、釘、ネジ４、ハンガー５が充分使える様になる。【選択図】図２
0003119954.tif 000002
【実用新案登録請求の範囲】
【請求項１】
本考案の合成ボ−ドは、石膏ボ−ドに、ベニヤ合板、木材板、金属板等を接着剤で張り合わせて、新建材合成ボ−ドとする。
【考案の詳細な説明】
【技術分野】
【０００１】本考案は、釘、ネジの効かない石膏ボ−ドに、合板、木材、金属等を接着剤で、張り合わせる事により、釘、ネジの効く合成ボ−ドを作成するものである。
［背景技術］【０００２】石膏ボ−ドは、釘、ネジは効かないと言われている。
［考案の開示］【０００３】石膏ボ−ドは、家屋の壁材として、多くの建築につかわれているが、釘、ネジが効かないので、多くの人々が不便を感じている。本考案は、石膏ボ−ドに、合板、木材、金属等を接着剤で、張り合わせ、合成ボ−ドを作成させて、人々の不便を解消させるものである。
［考案が解決しようとする課題］【０００４】石膏ボ−ドは、家屋の建材として、多く使用されているが、釘、ネジが効かない、もろいと言う欠点がある。本考案は、この課題をかいしょうさせる為に、なされたものである。
［課題を解決する為の手段］【０００５】石膏ボ−ドに、合板、木材、金属板等を接着剤で張り合わせる事により、新しい合成ボ−ドとする。
［考案の効果］【０００６】石膏ボ−ドの断熱、保温、防音効果という良い点を残して、本考案のボ−ドは、釘、ネジが、充分に効くようになり、物を吊ったり、棚を取りつけられる様になり、装飾性のある内壁材としても、価値ある新建材といえます。
【図面の簡単な説明】
【０００７】［図１］
本考案の接着前の状態を示す断面図である。
［図２］
本考案の使用状態を示す斜視図である。
【符号の説明】
１  合板
２  石膏ボード
３  接着剤
４  ネジ
５  ハンガ−
【図１】
0003119954.tif 000003
【図２】
0003119954.tif 000004